(57)【特許請求の範囲】
【請求項１】
下部が開口され、上部に排気口が設けられかつ、内部に送風機が収納されたフード本体と、
前記送風機のファンケーシングに設けられた吸込口を覆うようにその上部と下部がファンケーシングに着脱自在に取付けられるとともに、複数の通気孔を有し、前記ファンケーシング外側に向かって水平方向に膨出する半球状またはボウル状のフィルター部材と、
このフィルター部材の下方位置で、前記フード本体下部の開口に着脱自在に、前記フード本体の前側から後側に向けて下向き傾斜となるように取付けられ、フード本体と周囲間に吸気開口が形成されるように配置された整流板とを備えたことを特徴とするレンジフードファン。
【請求項２】
前記フィルター部材は、その直径を２８cm以下としたことを特徴とするレンジフードファン。
【発明の詳細な説明】
【技術分野】
【０００１】
本発明はレンジフードファンに係り、特にフィルターにより捕集した油滴や水滴などの液滴排出構造を改良したレンジフードファンに関する。
【背景技術】
【０００２】
レンジフードファンは調理時の油分を含む煙や水蒸気、熱気の排出、排気等を行うために、厨房の調理用レンジのほぼ真上方となる所定高さの壁部等に設置されている（例えば、特許文献１）。
【０００３】
このような従来のレンジフードファンは、フード本体の吸気開口と送風機間のフード本体内に、このフード本体を仕切るように板状フィルターを抜差し可能に配設している。しかしながら、このフィルターを清掃する時には、複数のパネルをフード本体から外して対処する必要があるため、フィルターも清掃作業が容易ではなく、また、フィルターは大きな板状であるため水洗いするにも容易ではなかった。
【０００４】
また、図３に示すようなレンジフードファン２１にあっては、ＩＨ調理器で調理（湯沸しなど）をすると、ＩＨ調理器はガスコンロと異なり熱の発生がほとんどなくスリットフィルター２４に付着した水滴を乾燥させることができず、スリットフィルター２４の開口隙間２４ａに水滴が多量に付着し、調理器具の上や料理に滴下して、ユーザーに不快な思いをさせていた。
【特許文献１】特開２００２−１３０７６１号公報
【発明の開示】
【発明が解決しようとする課題】
【０００５】
本発明は上述した事情を考慮してなされたもので、フィルターにより捕集した油滴や水滴などの液滴が調理器具に落下することがなく、フィルターの掃除が容易なレンジフードファンを提供することを目的とする。
【課題を解決するための手段】
【０００６】
上述した目的を達成するために、本発明に係るレンジフードファンは、下部が開口され、上部に排気口が設けられかつ、内部に送風機が収納されたフード本体と、
前記送風機のファンケーシングに設けられた吸込口を覆うようにその上部と下部がファンケーシングに着脱自在に取付けられるとともに、複数の通気孔を有し、前記ファンケーシング外側に向かって水平方向に膨出する半球状またはボウル状のフィルター部材と、
このフィルター部材の下方位置で、前記フード本体下部の開口に着脱自在に、前記フード本体の前側から後側に向けて下向き傾斜となるように取付けられ、フード本体と周囲間に吸気開口が形成されるように配置された整流板とを備えたことを特徴とする。
【発明の効果】
【０００７】
本発明に係るレンジフードファンによれば、フィルター部材により捕集した油滴や水滴などの液滴が調理器具に落下することがなく、フィルター部材の掃除が容易なレンジフードファンを提供することができる。
【発明を実施するための最良の形態】
【０００８】
以下、本発明に係るレンジフードファンの一実施形態について添付図面を参照して説明する。
【０００９】
図１は本発明に係るレンジフードファンの正面図、図２は図１のＡ−Ａ線に沿う断面図である。
【００１０】
図１及び図２に示すように、本発明に係るレンジフードファン１は、下部に開口２ａが設けられ、上部に排気口２ｂが設けられたフード本体２を備え、このフード本体２は前面及び下面が開放された箱状の本体組立２Ａと、本体組立２Ａの前面開放部を塞ぎ、斜面部を有する前板組立２Ｂが、据付時一体的に組み立てられて形成される。
【００１１】
本体組立２Ａにはファンケーシング３ａを備えた送風機３が収納されており、ファンケーシング３ａの吸込口３ａ１を覆うように着脱自在にフィルター部材４が取り付けられ、さらに、本体組立２Ａの下面の背部側には本体組立２Ａの幅方向全体に亘って底板２Ｃが設けられている。フード本体２下部の開口２ａには、フード本体２と周囲間に吸気開口５が形成されるように整流板６が着脱自在に取り付けられている。
【００１２】
送風機３はファンケーシング３ａに収容されたファン３ｂと、このファン３ｂを回転させるモータ３ｃを備え、図３に示すように、このモータ３ｃのファンケーシング３ａへの取り付けは、冷却孔３ａ２が穿設されたケーシング側板３ａ３への螺着により行われている。冷却孔３ａ２が設けられているので、モータ３ｃが冷却され寿命が延びる。
【００１３】
また、図４に示すように、ファンケーシング３ａの吸込口３ａ１の周囲にはベルマウス３ａ４が設けられ、さらに、下部周辺、すなわちフィルター部４材下端部近傍に対向する位置には、液滴流出孔３ａ５が設けられ、さらに、ファンケーシング３ａの底部には、液滴排出孔３ａ６が設けられている。
【００１４】
フィルター部材４は、複数の通気孔４ａを有し、ファンケーシング３ａの外側に向かって膨出し、その頂部が平坦部４ｂに形成されたボウル形状をなし、取り付け時、液滴流出孔３ａ５を覆うようになっており、この液滴流出孔３ａ５を設けることにより、フィルター部材４内側とファンケーシング３ａ内が連通する。
【００１５】
図４及び図５に示すように、フィルター部材４のファンケーシング３ａへの着脱は、フィルター部材４の開口部周囲に設けられた取り付け用のカール部４ｃを、取手４ｄを用いて、上側ではファンケーシング３ａの吸込口３ａ１に設けられた取付片３ａ７と板バネ３ａ８間に嵌め込め、また、下側では差込スペース３ａ９に差し込むことにより行われる。
【００１６】
フィルター部材４に平坦部４ｂを設けることにより、フィルター部材４を取り外して掃除する時、フィルター部材４が安定する。なお、図６に示すように、フィルター部材４は平坦部を設けず、半球状に形成し、さらに、ベルマウス３ａ４をフィルター部材４と一体に形成してもよい。このとき、ベルマウス３ａ４の下部に液滴流出孔３ａ５を設けることによりフィルター部材４内側とファンケーシング３ａ内が連通する。
【００１７】
また、フィルター部材４はその直径が２８ｃｍ以下であるのが好ましい。これにより、食器洗い機にて洗浄が可能になり、２８ｃｍを超えるとこれが困難になる。
【００１８】
また、図２及び図７に示すように、整流板６は、その下端を底板２Ｃの前側部分に設けられた整流板載置部２Ｃ１に載せ、さらに上端近傍に設けられた取付孔を貫通するネジ６ｂを、前板組立て２Ｂに設けられた取付部材２ｄに螺合することにより、フード本体２の前側から後側に向けて下向き傾斜となるようにフード本体２に着脱自在に取り付けられている。
【００１９】
さらに、底板２Ｃの整流板載置部２Ｃ１の整流板６下部に対向する位置には、幅方向に亘って樋状の液滴受７が設けられている。
【００２０】
また、図８および図９に示すように整流板６の下端部には、幅方向に所定の間隔を在して左右２つの係止部材６ａが取付けられており、この係止部材６ａを液滴受７の端部に引掛けることによって整流板６をフード本体２に仮掛けすることができる。
【００２１】
その中央底部には図１０に示すような液滴落下孔７ａが設けられている。
【００２２】
また、液滴受７の中央部下方には、液滴受７の長さのほぼ１／３の長さの長方形容器状の液滴溜８が着脱自在に設けられている。
【００２３】
図２及び図１０に示すように、液滴溜８はその上縁周に設けられた取り付けフランジ部８ａが設けられ、このフランジ部８ａを、底板２Ｃに取り付けられた液滴溜取付部材１０の取付溝１０ａに挿入することにより、フード本体２に着脱自在に取り付けられる。なお、符号１１は調理台などを照らす照明灯である。
従って、レンジフードファン１には、フィルター部材４に溜まった液滴を液滴流出孔３ａ５、ファンケーシング３ａ、液滴排出孔３ａ６、整流板６、液滴受７、液滴落下孔７ａ及び液滴溜８で液滴排出系Ｄが形成される。
【００２４】
次にレンジフードファンの使用方法について説明する。
【００２５】
図１１に示すように、調理時の油分を含む煙や水蒸気、熱気は、送風機３の働きで、開口２ａからフード本体２内に吸い込まれ、フード本体２と整流板６間の吸気開口５を通り、フィルター部材４に達し、複数の通気孔４ａを通り、フィルター部材４内に達する。油分を含む煙や水蒸気、熱気は、フィルター部材４のより、油分及び水分は捕集され、ファンケーシング３ａ、排気口２ｂを通り室外に吹き出される。
【００２６】
一方、長期間の使用により、フィルター部材４内には水滴や油滴などの液滴が付着し、この液滴は円弧状のフィルター部材４の下側に集まり、底面に沿い、上記液滴排出系Ｄにより、フィルター部材４及びファンケーシング３ａ外に排出される。
【００２７】
すなわち、フィルター部材４の底面に集った液滴は、液滴流出孔３ａ５を通ってファンケーシング３ａに流れ、ファンケーシング３ａの底面に沿って流れて、液滴排出孔３ａ６に達し、この液滴排出孔３ａ６から落下した液滴は、整流板６に落ち、整流板６に沿って流れて液滴受７で受けられる。液滴受７で受けられた液滴は液滴落下孔７ａから液滴溜８に落下し、溜められる。さらに、長期間の使用により、大量の液滴が液滴溜８に溜まったときには、液滴溜８を取り外し液滴を捨て、液滴溜８を空にして、取り付ける。また、液滴の一部がフィルター部材４の外表面から下方に落下しても、整流板６で受けられ、整流板６に沿って流れて液滴受７で受けられる。
【００２８】
上記のような油分を含む煙や水蒸気、熱気の排気過程において、フィルター部材４により捕集した液滴を、液滴流出孔３ａ５を介してファンケーシング３ａ内に導く構成としたので、液滴を確実に集めることができ、また、フィルター部材４の下方位置に整流板６が配置されているので、フィルター部材４の表面に付着した液滴が調理器具に落下することがなく、さらに、フィルター部材４をファンケーシング３ｃの吸込口３ａ１を覆うように設け、着脱自在としたので、掃除しやすく、また、フィルター部材４と整流板６との簡単な構成で液滴の落下を防ぐことができる。さらに、フィルター部材４を膨出構造にしたので掃除がしやすい。また、フィルター４の表面積が増え、多くの液滴を補足することができる。さらには通気孔４ａを多く設けることができるので吸込み性能がよくなる。また、ファンケーシング３ｃ内の液滴は、液滴排出孔３ａ６より整流板６に滴下するため、ケージシング内で溜まらず、羽根が回転しても異常な音を発することがない。
【００２９】
また、長期使用により、フィルター部材４を掃除するため、ファンケーシング３ａから外すときには、フィルター部材４に設けられた取手４ｄを上側に押すことにより、取付片３ａ７に固定された板バネ３ａ８が変形して、フィルター部材４の下側カール部４ｃが差込スペース３ａ９よリ外れ、取り外すことができる。また、取り付けも同様のような動作で取付片３ａ７を押上げフィルター部材４を差込みスペース３ａ９に装着できる。掃除時、フィルター部材４は平坦部４ｂが設けられあるいは半球であるため強度が強く、また、フィルター部材４の座りもよく掃除を容易に行うことができる。
【００３０】
上述本実施形態のレンジフードファンによれば、フィルターにより捕集した油滴や水滴などの液滴が調理器具に落下することがなく、フィルターの掃除が容易なレンジフードファンが実現される。
【００３２】
また、図１２に示すように、ファンケーシング３ａ部分除く本体前面部を遮蔽板１２で覆うことにより、フード本体２の後部に油煙が図らず清潔を保つことができまた掃除も平板の遮へい板１２を拭くだけで簡単できれいな掃除が可能になる。
【図面の簡単な説明】
【００３３】
【図１】本発明に係るレンジフードファンの正面図。
【図２】図１のＡ−Ａ線に沿う断面図。
【図３】本発明に係るレンジフードファンに用いられるモータの取り付け状態を示すファンケーシングの背面図。
【図４】本発明に係るレンジフードファンに用いられるフィルター部材（ａ）のファンケーシング（ｂ）への取り付け状態を示す斜視図。
【図５】本発明に係るレンジフードファンに用いられるフィルター部材（ａ）のファンケーシング（ｂ）への取り付け状態を示す概念図。
【図６】本発明に係るレンジフードファンに用いられるフィルター部材の他の実施形態の側面図。
【図７】図２のＡ部を拡大して示す断面図。
【図８】本発明に係るレンジフードファンに用いられる整流板を示す斜視図
【図９】図８のＢ部を拡大して示す斜視図
【図１０】本発明に係るレンジフードファンに用いられるフード本体に設けた取付溝を示す斜視図。
【図１１】本発明に係るレンジフードファンの液滴排出過程を示す縦断面図。
【図１２】本発明に係るレンジフードファンの他の実施形態の本体室内部を除去して示す斜視図。
【図１３】従来のレンジフードファンの縦断面図。
【符号の説明】
【００３４】
１…レンジフードファン、２…フード本体、２ａ…開口、３…送風機、３ａ…ファンケーシング、３ａ１…吸込口、３ａ５…液滴流出孔、３ａ６…液滴排出孔、３ｂ…ファン、３ｃ…モータ、４…フィルター部材、４ａ…通気孔、４ｂ…平坦部、４ｃ…カール部、５…吸気開口、６…整流板、７…液滴受、７ａ…液滴落下孔、８…液滴溜、８ａ…フランジ部、９…照明灯、１０…照明灯取付部材、１０ａ…取付溝。
【図１】
0004684025.tif 000002
【図２】
0004684025.tif 000003
【図３】
0004684025.tif 000004
【図４】
0004684025.tif 000005
【図５】
0004684025.tif 000006
【図６】
0004684025.tif 000007
【図７】
0004684025.tif 000008
【図８】
0004684025.tif 000009
【図９】
0004684025.tif 000010
【図１０】
0004684025.tif 000011
【図１１】
0004684025.tif 000012
【図１２】
0004684025.tif 000013
【図１３】
0004684025.tif 000014